(57)【特許請求の範囲】
【請求項１】
表示装置に映像を表示させる映像処理装置であって、
デジタル放送の映像を前記表示装置に表示させる表示制御手段と、
回転操作が可能な操作手段と、
前記映像の表示中になされた前記回転操作を、前記デジタル放送で放送予定の番組をチャンネルと放送時間とで分類して示す電子番組表を前記表示装置に表示させる指示として受け付けるとともに、
一方向の前記回転操作を、前記電子番組表のうち前記表示装置への表示対象とする番組の前記チャンネルを選択する指示、
他方向の前記回転操作を、前記電子番組表のうち前記表示装置への表示対象とする番組の前記放送時間を選択する指示、としてそれぞれ受け付ける受付手段と、
を備えることを特徴とする映像処理装置。
【請求項２】
請求項１に記載の映像処理装置と、
前記映像を表示する表示装置と、
を備えることを特徴とする表示システム。
【請求項３】
表示装置に映像を表示させる映像処理方法であって、
デジタル放送の映像を表示装置に表示させる工程と、
操作手段において回転操作を受け付ける工程と、
前記映像の表示中になされた前記回転操作を、前記デジタル放送で放送予定の番組をチャンネルと放送時間とで分類して示す電子番組表を前記表示装置に表示させる指示として受け付けるとともに、
一方向の前記回転操作を、前記電子番組表のうち前記表示装置への表示対象とする番組の前記チャンネルを選択する指示、
他方向の前記回転操作を、前記電子番組表のうち前記表示装置への表示対象とする番組の前記放送時間を選択する指示、としてそれぞれ受け付ける工程と、
を備えることを特徴とする映像処理方法。
【発明の詳細な説明】
【技術分野】
【０００１】
本発明は、表示装置に映像を表示させる技術に関する。
【背景技術】
【０００２】
従来より、記録メディアやデジタル放送などの映像を表示装置に表示させる映像処理装置が知られている。
【０００３】
近年、このような映像処理装置の機能を備えた各種の表示システムが提案されている。例えば、記録メディアやデジタル放送などの映像をディスプレイに表示させることが可能な車載装置や可搬性装置なども提案されている。このような車載装置は代表的にはカーナビゲーション装置やカーオーディオ装置などであり、可搬性装置は代表的には携帯電話機やポータブルゲーム機などである。
【０００４】
なお、本明細書で説明する技術に関連する技術を開示した文献として特許文献１がある。
【先行技術文献】
【特許文献】
【０００５】
【特許文献１】特開２００５−９９４０３号公報
【発明の概要】
【発明が解決しようとする課題】
【０００６】
ところで、映像を表示可能な表示システムにおいては、ユーザが操作をして指示を与えることによって、表示する映像を変更できるようになっている。例えば、記録メディアの映像を表示可能な表示システムでは、表示対象とするチャプターを変更することが可能である。同様に、デジタル放送の映像を表示可能な表示システムでは、表示対象とするチャンネルを変更することが可能である。
【０００７】
しかしながら、近年の表示システムにおいては、搭載機能の多様化などに起因して、チャプターやチャンネルを変更するために、複雑な操作が必要となることが多い。例えば、メニュー画面を所定の操作で表示させた上で、所望のコマンドを選択する操作を複数回（２〜５回程度）繰り返すことで、ようやくチャプターやチャンネルを変更することができるようになっている。
【０００８】
このような複雑な操作はユーザが煩雑に感じることになるため、改善が要望されている。特に、車両に搭載される車載装置においては、信号待ちの停車中などの比較的短い期間に、車両の周辺の状況や車両の他の計器類にも注意を払いつつ車載装置に指示を与える場面が生じる。このため、車載装置では、簡便な操作でチャプターやチャンネルを変更できる技術が強く要望されていた。
【０００９】
本発明は、上記課題に鑑みてなされたものであり、簡便な操作で表示させる映像を変更できる技術を提供することを目的とする。
【課題を解決するための手段】
【００１４】
請求項１の発明は、表示装置に映像を表示させる映像処理装置であって、デジタル放送の映像を前記表示装置に表示させる表示制御手段と、回転操作が可能な操作手段と、前記映像の表示中になされた前記回転操作を、前記デジタル放送で放送予定の番組をチャンネルと放送時間とで分類して示す電子番組表を前記表示装置に表示させる指示として受け付けるとともに、一方向の前記回転操作を、前記電子番組表のうち前記表示装置への表示対象とする番組の前記チャンネルを選択する指示、他方向の前記回転操作を、前記電子番組表のうち前記表示装置への表示対象とする番組の前記放送時間を選択する指示、としてそれぞれ受け付ける受付手段と、を備えている。
【００１５】
また、請求項２の発明は、表示システムであって、請求項１に記載の映像処理装置と、前記映像を表示する表示装置と、を備えている。
【００１７】
また、請求項３の発明は、表示装置に映像を表示させる映像処理方法であって、デジタル放送の映像を表示装置に表示させる工程と、操作手段において回転操作を受け付ける工程と、前記映像の表示中になされた前記回転操作を、前記デジタル放送で放送予定の番組をチャンネルと放送時間とで分類して示す電子番組表を前記表示装置に表示させる指示として受け付けるとともに、一方向の前記回転操作を、前記電子番組表のうち前記表示装置への表示対象とする番組の前記チャンネルを選択する指示、他方向の前記回転操作を、前記電子番組表のうち前記表示装置への表示対象とする番組の前記放送時間を選択する指示、としてそれぞれ受け付ける工程と、を備えている。
【発明の効果】
【００２１】
請求項１ないし３の発明によれば、回転操作を行うことだけで、デジタル放送の電子番組表を表示装置に表示させることができるとともに、電子番組表のうちから表示対象とする番組を選択することができる。
【図面の簡単な説明】
【００２２】
【図１】図１は、表示システムの構成の概要を示すブロック図である。
【図２】図２は、表示システムの構成の車室内における配置の一例を示す図である。
【図３】図３は、メインコントローラの外観を示す斜視図である。
【図４】図４は、ディスプレイの表示例を示す図である。
【図５】図５は、ディスプレイの画面の遷移の例を示す図である。
【図６】図６は、回転操作を行った場合の処理の流れを示す図である。
【図７】図７は、ディスプレイの表示例を示す図である。
【図８】図８は、ディスプレイの画面の遷移の例を示す図である。
【図９】図９は、回転操作を行った場合の処理の流れを示す図である。
【図１０】図１０は、第２の実施の形態におけるディスプレイの画面の遷移の例を示す図である。
【図１１】図１１は、第２の実施の形態におけるディスプレイの画面の遷移の例を示す図である。
【図１２】図１２は、第２の実施の形態における回転操作を行った場合の処理の流れを示す図である。
【発明を実施するための形態】
【００２３】
以下、図面を参照しつつ本発明の実施の形態について説明する。
【００２４】
＜１．第１の実施の形態＞
＜１−１．構成＞
図１は、本実施の形態の表示システム１００の構成の概要を示すブロック図である。この表示システム１００は、自動車などの車両に搭載される車載装置である。表示システム１００は、表示装置であるディスプレイ３を備えており、映像をディスプレイ３に表示させる映像処理装置としての機能を備えている。表示システム１００は、主な機能として、記録メディアのコンテンツを再生するディスク再生機能、及び、デジタル放送のコンテンツを再生する放送再生機能を有している。
【００２５】
図１に示すように、表示システム１００は、システム全体を統括する本体部１０と、各種情報を表示するディスプレイ３と、各種音声を出力するスピーカ４と、ユーザが操作を行う操作部５とを備えている。
【００２６】
操作部５は、メインコントローラ５０とソース切替ボタン５９とを含んでいる。メインコントローラ５０は、表示システム１００に各種の指示を行う際に、ユーザが主に操作するものである。一方、ソース切替ボタン５９は、ディスプレイ３に表示させる映像ソースを、記録メディアとデジタル放送とで切り替えるボタンである。すなわち、ソース切替ボタン５９を操作することで、ディスク再生機能及び放送再生機能のいずれかを有効化することができる。
【００２７】
ディスプレイ３、スピーカ４及び操作部５は、本体部１０とケーブルを介して電気的に接続される。このため、ディスプレイ３及びスピーカ４は本体部１０の制御下で動作するとともに、操作部５へのユーザの操作内容は信号として本体部１０に入力される。
【００２８】
本体部１０は、表示システム１００の全体を統括する装置であり、車両の所定の位置に配置される。本体部１０は、各種の制御機能を有する制御部１と、記録メディアを読み取るディスク読取部２１と、放送信号を受信する放送受信部２２とを備えている。
【００２９】
ディスク読取部２１は、ＤＶＤ及びＢＤ（Blu-ray Disc）などのディスクメディアである記録メディアの記録内容を読み取り、記録内容をデコードして映像信号及び音声信号を取得する。また、放送受信部２２は、デジタルテレビ放送（ＤＴＶ）を含むデジタル放送の放送信号を受信するアンテナを備えており、受信した放送信号をデコードして映像信号及び音声信号を取得する。
【００３０】
制御部１は、ＣＰＵ、ＲＡＭ及びＲＯＭなどを備えたコンピュータを備えており、予めＲＯＭなどに記憶されたファームウェアとしてのプログラムに従ってＣＰＵが演算処理を行うことで各種の制御機能が実現される。図中に示す、表示制御部１１、指示受付部１２及び指示実行部１３は、このようにして実現される制御部１の機能のうちの一部を示している。
【００３１】
表示制御部１１は、ディスプレイ３の表示、及び、スピーカ４の出力に係る制御を行う。記録メディアのコンテンツを再生する場合は、表示制御部１１は、ディスク読取部２１で取得された映像信号及び音声信号をそれぞれ、ディスプレイ３及びスピーカ４に出力する。これにより、ディスプレイ３において記録メディアの映像が表示され、スピーカ４から音声が出力される。また、デジタル放送のコンテンツを再生する場合は、表示制御部１１は、放送受信部２２で取得された映像信号及び音声信号をそれぞれ、ディスプレイ３及びスピーカ４に出力する。これにより、ディスプレイ３においてデジタル放送の映像が表示され、スピーカ４から音声が出力される。
【００３２】
指示受付部１２は、操作部５への操作に基づいて、表示システム１００へのユーザの指示を受け付ける。また、指示実行部１３は、表示システム１００の全体を制御して、指示受付部１２が受け付けたユーザの指示を実行する。
【００３３】
操作部５において可能な各操作には、表示システム１００の現時点の状況に応じた指示が割り当てられる。操作部５においてユーザの操作がなされると、その操作内容を示す信号が指示受付部１２に入力される。この信号に応答して、指示受付部１２は当該操作に割り当てられた指示を受け付け、その受け付けた指示を指示実行部１３が実行する。
【００３４】
また、表示システム１００では、ユーザインタフェースとしてＧＵＩ（グラフィカルユーザインタフェース）が採用されている。ＧＵＩにおいてユーザから指示を受け付ける場合には、選択候補となる複数の項目のリストがディスプレイ３に表示される。リストに含まれる複数の項目にはそれぞれ、表示システム１００に対する指示が割り当てられている。ユーザは、このリストが表示された画面を確認しながら、操作部５を操作してカーソル（フォーカス）を移動させて所望の項目を選択する。これにより、指示受付部１２は選択された項目に割り当てられた指示を受け付け、受け付けた指示を指示実行部１３が実行する。
【００３５】
ディスプレイ３、スピーカ４及び操作部５は、本体部１０とは独立して、車室内におけるそれぞれに適した位置に配置される。図２は、ディスプレイ３、スピーカ４及び操作部５の車室内における配置の一例を示す図である。
【００３６】
図に示すように、ディスプレイ３は、視認するドライバの視線の移動量が少なくなるように、車両のインストルメントパネル９１の左右中央に配置される。スピーカ４は、このディスプレイ３に近接して配置される。
【００３７】
また、操作部５は、ユーザが操作しやすいようにディスプレイ３やスピーカ４から離間して配置される。具体的には、操作部５は、車両のセンターコンソール９３においてシフトレバー９４に近接して配置される。メインコントローラ５０はシフトレバー９４よりも後方に配置され、このメインコントローラ５０の周辺にソース切替ボタン５９が設けられる。本実施の形態の車両は右ハンドル車であるため、ドライバは運転中に、ステアリングホイール９２を操作しながら、必要に応じてシフトレバー９４を左手で操作することになる。操作部５は、このシフトレバー９４に近接して配置されるため、ドライバはドライビングポジションのまま左手（片手）で操作部５を操作することが可能である。
【００３８】
操作部５のメインコントローラ５０は、回転操作、押圧操作（プッシュ操作）及び方向操作（スライド操作）のすべてをユーザから受け付け可能な一つの操作部材を備えている。ユーザは、回転操作、押圧操作及び方向操作のすべてをメインコントローラ５０に対して片手のみで行うことが可能である。
【００３９】
図３は、メインコントローラ５０の外観を示す斜視図である。図に示すように、メインコントローラ５０は、略円柱形状をしており、その大きさはユーザがその全体を片手で覆って把持できる程度とされている。
【００４０】
メインコントローラ５０は、図中の矢印ＡＲ１で示す方向に回転する回転操作を受け付け可能である。この回転操作がなされると、回転操作がなされたこと、及び、その回転方向（左方向、及び、右方向）を示す信号が制御部１に入力される。このような信号を出力するデバイスとしてロータリーエンコーダを採用することができる。
【００４１】
また、メインコントローラ５０は、図中の矢印ＡＲ２で示す方向にプッシュする押圧操作を受け付けることが可能である。この押圧操作がなされると、押圧操作がなされたことを示す信号が制御部１に入力される。このような信号を出力する機能は、例えば押圧操作によって移動したメインコントローラ５０の一部で押圧される押圧スイッチを採用することにより実現できる。
【００４２】
さらに、メインコントローラ５０は、図中の矢印ＡＲ３で示す４方向にスライドする方向操作を受け付けることが可能である。この方向操作がなされると、方向操作がなされたこと、及び、その方向操作によって示された方向（スライドされた方向）を示す信号が制御部１に入力される。このような信号を出力する機能は、例えば方向操作によって移動したメインコントローラ５０の一部で押圧される複数の押圧スイッチ等を採用することで実現できる。押圧スイッチは、方向操作によって示すことが可能な４方向にそれぞれ配置される。
【００４３】
表示システム１００においては、このメインコントローラ５０において回転操作を行うことにより、表示させる映像を変更できるようになっている。例えば、記録メディアのコンテンツの再生中において回転操作を行うと、表示対象とするチャプターを変更することができる。また、デジタル放送のコンテンツの再生中において回転操作を行うと、表示対象とするチャンネルを変更することができる。以下、この回転操作による映像の変更の詳細について説明する。
【００４４】
＜１−２．ディスク再生機能における回転操作＞
まず、ディスク再生機能により、記録メディアのコンテンツを再生する場合について説明する。
【００４５】
図４は、記録メディアのコンテンツを再生する場合におけるディスプレイ３の画面の表示例を示す図である。図に示すように、ディスプレイ３の画面は、主に文字列などが表示される第１領域Ａ１と、主に映像が表示される第２領域Ａ２との２つの領域に分割されている。
【００４６】
第１領域Ａ１は、画面の左側に配置される第２領域Ａ２よりも狭い領域であり、第２領域Ａ２に表示される映像に係る文字列が表示される。例えば、記録メディアのタイトルＭ１や、現時点で表示対象となっているチャプターを示すチャプター番号Ｍ２などが第１領域Ａ１に表示される。一方、第２領域Ａ２は画面の右側に配置され、表示対象となっているチャプターの映像（通常は、動画像）が表示される。
【００４７】
この図４に例示するような、記録メディアの通常の映像の表示中において、ユーザがメインコントローラ５０で回転操作を行った場合、表示対象とするチャプターが変更される。図５は、この回転操作を行った場合における、ディスプレイ３の画面の遷移の例を示す図である。
【００４８】
記録メディアの通常の映像の表示中（状態ＳＴ１０）において、回転操作がなされると、記録メディアの複数のチャプターに対応する複数の項目を示すリストＭ３が、第１領域Ａ１に表示される（状態ＳＴ１１）。この回転操作は、右方向の回転操作（以下、「右回転操作」という。）及び左方向の回転操作（以下、「左回転操作」という。）のいずれであってもよい。
【００４９】
リストＭ３においては、選択候補となるチャプター（正確には、チャプターの番号）を示す複数の項目が上下方向に配列して含まれている。ディスプレイ３の画面には、表示サイズの制約から、選択可能なチャプターのうちの一部（最大で５つ）に対応する項目のみがリストＭ３に含まれて表示される。表示された複数の項目のうち、現在の表示対象となっているチャプターを示す項目にはカーソルＣが表示される。なお、この例ではリストＭ３の項目にはチャプターの番号が示されているが、当該チャプターに対応する静止画あるいは動画を示すことも可能である。この場合、ユーザは当該静止画や動画に基づいて、チャプターを選択することになる。
【００５０】
このリストＭ３が表示された状態において、ユーザは、メインコントローラ５０で回転操作を行うことで、カーソルＣを他の項目に移動させることができる。これにより、ユーザは、リストＭ３に含まれる複数の項目が示すチャプターから、表示対象とすべきチャプターを選択できることになる。リストＭ３に含まれる複数の項目は、円弧状に沿って配列される。このような項目の配列によって、カーソルＣの他の項目への移動を回転操作でできることをユーザが直感的に把握できるようになっている。
【００５１】
メインコントローラ５０で回転操作を行った場合、カーソルＣは中央領域の上下中央に維持される一方で、リストＭ３に含まれる複数の項目がスクロールする。これにより複数の項目に対してカーソルＣが相対的に移動する。
【００５２】
具体的には、メインコントローラ５０で右回転操作を行うことで、各項目がスクロールアップ（上側へスクロール）するため、カーソルＣを一つ下の項目に移動させることができる。例えば、状態ＳＴ１１で右回転操作を行えば、状態ＳＴ１２に示すように、状態ＳＴ１１で表示されていたチャプターを示す項目がそれぞれ一つずつ上側に移動する。そして、状態ＳＴ１１では「１」の項目にカーソルＣがあるが、状態ＳＴ１２では「１」の項目の一つ下の「２」の項目にカーソルＣがある。また、逆に、メインコントローラ５０で左回転操作を行うことで、各項目がスクロールダウン（下側へスクロール）するため、カーソルＣを一つ上の項目に移動させることができる。
【００５３】
このようにカーソルＣが移動されると、移動後のカーソルＣがある項目が示すチャプターが新たな表示対象として選択される。そして、その表示対象となったチャプターの映像が、第２領域Ａ２に表示されることになる。このように映像とリストＭ３とがディスプレイ３の同一の画面内に表示され、選択されたチャプターの映像がチャプターの選択後に速やかに第２領域Ａ２に表示される。このため、ユーザは、所望の映像が含まれるチャプターを容易に選択することができる。
【００５４】
また、リストＭ３が表示された状態において、回転操作がない状態が所定時間（例えば、２秒間）を超えて継続した場合は、リストＭ３の表示が解除される（状態ＳＴ１３）。この状態で、リストＭ３を再表示させるためには、再び回転操作を行えばよい。
【００５５】
このように、ユーザは、リストＭ３を回転操作によって表示させることができ、その表示されたリストＭ３から表示対象とするチャプターをさらなる回転操作によって選択することができる。このような処理は、指示受付部１２及び指示実行部１３の制御により実現される。すなわち、指示受付部１２は、複数のチャプターを示すリストＭ３をディスプレイ３に表示させる指示として回転操作を受け付けるとともに、リストＭ３のうちから表示対象とするチャプターを選択する指示としても回転操作を受け付けることになる。そして、これらの双方の指示が指示実行部１３により実行される。これにより、ユーザは、回転操作以外の操作をすることなく、表示させる映像を変更できることになる。
【００５６】
図６は、記録メディアの映像の表示中において回転操作を行った場合における、表示システム１００の処理の流れを示す図である。
【００５７】
記録メディアの映像の表示中においてメインコントローラ５０に回転操作がなされると、指示受付部１２は、この回転操作をリストＭ３をディスプレイ３に表示させる指示として受け付ける。そして、指示実行部１３が、その指示を実行してリストＭ３をディスプレイ３に表示させる（ステップＳ１１）。
【００５８】
次に、このリストＭ３の表示状態において回転操作があるか否かが判断される（ステップＳ１２）。回転操作がない状態が所定時間（例えば、２秒間）を超えて継続した場合は（ステップＳ１２にてＮｏ）、リストＭ３の表示が解除されて処理が終了する（ステップＳ１８）。
【００５９】
一方、リストＭ３の表示状態において回転操作があった場合は（ステップＳ１２にてＹｅｓ）、指示受付部１２は、その回転操作を、表示対象とするチャプターを選択する指示として受け付ける。そして、指示実行部１３が、その指示を実行することになる。
【００６０】
具体的には、まず、回転操作の回転方向が判断される（ステップＳ１３）。左回転操作の場合は、リストＭ３の各項目がスクロールダウンしてカーソルＣが上の項目に移動される（ステップＳ１４）。一方、右回転操作の場合は、リストＭ３の各項目がスクロールアップしてカーソルＣが下の項目に移動される（ステップＳ１５）。
【００６１】
カーソルＣが移動されると、そのカーソルＣがある項目が示すチャプターが表示対象として選択される。そして、選択されたチャプターの映像が第２領域Ａ２に表示されることになる（ステップＳ１６）。
【００６２】
また、さらに回転操作がなされた場合は（ステップＳ１７にてＹｅｓ）、処理はステップＳ１３に戻り、回転操作の回転方向に応じてカーソルＣが移動される。これにより、ユーザは所望の項目にカーソルＣを移動させ、表示対象とするチャプターとして所望のチャプターを選択することができる。
【００６３】
そして、回転操作がない状態が所定時間（例えば、２秒間）を超えて継続した場合は（ステップＳ１７にてＮｏ）、リストＭ３の表示が解除されて処理が終了する（ステップＳ１８）。
【００６４】
以上のように、表示システム１００においては、記録メディアの映像の表示中になされた回転操作を、指示受付部１２が、記録メディアの複数のチャプターを示すリストＭ３をディスプレイ３に表示させる指示、及び、リストＭ３のうちからディスプレイ３への表示対象とするチャプターを選択する指示として受け付ける。このため、ユーザは、回転操作を行うことだけで、記録メディアの複数のチャプターのリストをディスプレイ３に表示させることができるとともに、そのリストＭ３から表示対象とするチャプターを選択することができる。その結果、複雑な操作が必要とならず、回転操作という簡便な操作で表示させる映像を変更することができる。
【００６５】
＜１−３．放送再生機能における回転操作＞
次に、放送再生機能により、デジタル放送のコンテンツを再生する場合について説明する。
【００６６】
図７は、デジタル放送のコンテンツを再生する場合におけるディスプレイ３の画面の表示例を示す図である。この場合も、ディスプレイ３の画面は、主に文字列などが表示される第１領域Ａ１と、主に映像が表示される第２領域Ａ２との２つの領域に分割される。
【００６７】
第１領域Ａ１には、現時点で表示対象となっている番組のタイトルＭ４や、現時点で表示対象となっているチャンネルを示すチャンネル番号Ｍ５などが表示される。また、第２領域Ａ２には、表示対象となっているチャンネルの映像（通常は、動画像）が表示される。
【００６８】
この図７に例示するような、デジタル放送の通常の映像の表示中において、ユーザがメインコントローラ５０で回転操作を行った場合、表示対象とするチャンネルが変更される。図８は、この回転操作を行った場合における、ディスプレイ３の画面の遷移の例を示す図である。
【００６９】
デジタル放送の通常の映像の表示中（状態ＳＴ２０）において、回転操作がなされると、デジタル放送の複数のチャンネルに対応する複数の項目を示すリストＭ６が、第１領域Ａ１に表示される（状態ＳＴ２１）。この回転操作も、右回転操作及び左回転操作のいずれであってもよい。
【００７０】
リストＭ６においては、選択候補となるチャンネル（正確には、チャンネルの番号）を示す複数の項目が含まれている。このリストＭ６が表示された状態において、ユーザは、メインコントローラ５０で回転操作を行うことで、カーソルＣを他の項目に移動させることができる（状態ＳＴ２２）。これにより、ユーザは、リストＭ６に含まれる複数の項目が示すチャンネルから、表示対象とすべきチャンネルを選択できることになる。この回転操作とカーソルＣの移動との関係は、記録メディアのチャプターを選択する場合と同様である。
【００７１】
カーソルＣが移動されると、移動後のカーソルＣがある項目が示すチャンネルが新たな表示対象として選択される。そして、その表示対象となったチャンネルの映像が、第２領域Ａ２に表示されることになる。このように映像とリストＭ６とがディスプレイ３の同一の画面内に表示され、選択されたチャンネルの映像がチャンネルの選択後に速やかに第２領域Ａ２に表示される。このため、ユーザは、所望の番組を放送しているチャンネルを容易に選択することができる。
【００７２】
また、リストＭ６が表示された状態において、回転操作がない状態が所定時間（例えば、２秒間）を超えて継続した場合は、リストＭ６の表示が解除される（状態ＳＴ２３）。この状態で、リストＭ６を再表示させるためには、再び回転操作を行えばよい。
【００７３】
このように、ユーザは、リストＭ６を回転操作によって表示させることができ、その表示されたリストＭ６から表示対象とするチャンネルをさらなる回転操作によって選択することができる。このような処理は、指示受付部１２及び指示実行部１３の制御によって実現される。すなわち、指示受付部１２は、複数のチャンネルを示すリストＭ６をディスプレイ３に表示させる指示として回転操作を受け付けるとともに、リストＭ６のうちから表示対象とするチャンネルを選択する指示としても回転操作を受け付けることになる。そして、これらの双方の指示が指示実行部１３により実行される。これにより、ユーザは、回転操作以外の操作をすることなく、表示させる映像を変更できることになる。
【００７４】
図９は、デジタル放送の映像の表示中において回転操作を行った場合における、表示システム１００の処理の流れを示す図である。
【００７５】
デジタル放送の映像の表示中においてメインコントローラ５０に回転操作がなされると、指示受付部１２は、この回転操作をリストＭ６をディスプレイ３に表示させる指示として受け付ける。そして、指示実行部１３が、その指示を実行してリストＭ６をディスプレイ３に表示させる（ステップＳ２１）。
【００７６】
次に、このリストＭ６の表示状態において回転操作があるか否かが判断される（ステップＳ２２）。回転操作がない状態が所定時間（例えば、２秒間）を超えて継続した場合は（ステップＳ２２にてＮｏ）、リストＭ６の表示が解除されて処理が終了する（ステップＳ２８）。
【００７７】
一方、リストＭ６の表示状態において回転操作があった場合は（ステップＳ２２にてＹｅｓ）、指示受付部１２は、その回転操作を表示対象とするチャンネルを選択する指示として受け付ける。そして、指示実行部１３が、その指示を実行することになる。
【００７８】
具体的には、まず、回転操作の回転方向が判断される（ステップＳ２３）。左回転操作の場合は、リストＭ６の各項目がスクロールダウンしてカーソルＣが上の項目に移動される（ステップＳ２４）。一方、右回転操作の場合は、リストＭ６の各項目がスクロールアップしてカーソルＣが下の項目に移動される（ステップＳ２５）。
【００７９】
カーソルＣが移動されると、そのカーソルＣがある項目が示すチャンネルが表示対象として選択される。そして、選択されたチャンネルの映像が第２領域Ａ２に表示されることになる（ステップＳ２６）。
【００８０】
また、さらに回転操作がなされた場合は（ステップＳ２７にてＹｅｓ）、処理はステップＳ２３に戻り、回転操作の回転方向に応じてカーソルＣが移動される。これにより、ユーザは所望の項目にカーソルＣを移動させ、表示対象とするチャンネルとして所望のチャンネルを選択することができる。
【００８１】
そして、回転操作がない状態が所定時間（例えば、２秒間）を超えて継続した場合は（ステップＳ２７にてＮｏ）、リストＭ６の表示が解除されて処理が終了する（ステップＳ２８）。
【００８２】
以上のように、表示システム１００においては、デジタル放送の映像の表示中になされた回転操作を、指示受付部１２が、デジタル放送の複数のチャンネルを示すリストＭ６をディスプレイ３に表示させる指示、及び、リストＭ６のうちからディスプレイ３への表示対象とするチャンネルを選択する指示として受け付ける。このため、ユーザは、回転操作を行うことだけで、デジタル放送の複数のチャンネルのリストをディスプレイ３に表示させることができるとともに、そのリストＭ６から表示対象とするチャンネルを選択することができる。その結果、複雑な操作が必要とならず、回転操作という簡便な操作で表示させる映像を変更することができる。
【００８３】
＜２．第２の実施の形態＞
次に、第２の実施の形態について説明する。第２の実施の形態の表示システム１００の基本的な構成や動作は第１の実施の形態と同様であるため、以下、第１の実施の形態との相違点を中心に説明する。
【００８４】
第１の実施の形態においては、デジタル放送の映像の表示中において回転操作を行った場合はチャンネルを示すリストＭ６が表示されていた。これに対して、第２の実施の形態においては、図１０に示すように、デジタル放送の映像の表示中（状態ＳＴ３０）において回転操作を行った場合は、ＥＰＧ（Electronic Program Guide）ともよばれる電子番組表Ｔが画面全体に表示されるようになっている（状態ＳＴ３１）。この回転操作も、右回転操作及び左回転操作のいずれであってもよい。
【００８５】
電子番組表Ｔは、デジタル放送で放送予定の複数の番組を、チャンネル（放送局）と放送時間とで分類して示すものである。電子番組表Ｔの情報は、所定のチャンネルの放送信号を受信して、当該放送信号をデコードすることで取得される。電子番組表Ｔには、各番組に対応する複数の項目（番組欄）が縦横に格子状に配列されて含まれている。そして、電子番組表Ｔの横方向によって番組のチャンネルが示され、電子番組表Ｔの縦方向によって番組の放送時間が示される。電子番組表Ｔに含まれるチャンネルの数は、現在の地域（初期設定で設定した地域）で受信できる放送局の数となる。また、電子番組表Ｔにおいて、表示対象となっている番組の項目にはカーソルＣが表示される。
【００８６】
この電子番組表Ｔが表示された状態において、ユーザは、メインコントローラ５０で回転操作を行うことで、カーソルＣを他の項目に移動させることができる。これにより、ユーザは、電子番組表Ｔに含まれる複数の項目が示す番組から、表示対象とすべき番組を選択できるようになっている。
【００８７】
具体的には、図１１に示すように、メインコントローラ５０で右回転操作を行うことで、カーソルを右方向に移動させることができる（状態ＳＴ３２）。これにより、ユーザは、電子番組表Ｔが示す番組のうちから、表示対象とすべき番組のチャンネルを選択できることになる。一方で、メインコントローラ５０で左回転操作を行うことで、カーソルを下方向に移動させることができる（状態ＳＴ３３）。これにより、ユーザは、電子番組表Ｔが示す番組のうちから、表示対象とすべき番組の放送時間を選択できることになる。
【００８８】
ディスプレイ３の画面には、表示サイズの制約から、電子番組表Ｔに含まれる選択可能な番組のうちの一部に対応する項目のみが表示される。画面上に表示されていない番組の項目にカーソルＣを移動する場合においては、表示中の項目がスクロールして当該番組の項目が画面上に表示される。
【００８９】
また、カーソルＣを電子番組表Ｔの右端のチャンネルの位置まで移動させた場合に、さらにメインコントローラ５０で右回転操作を行うことで、カーソルＣを電子番組表Ｔの左端のチャンネルの位置に移動させることができる。また、カーソルＣを電子番組表Ｔの下端の放送時間の位置まで移動させた場合に、さらにメインコントローラ５０で左回転操作を行うことで、カーソルＣを電子番組表Ｔの上端の放送時間（例えば、現在時刻）の位置に移動させることができる。電子番組表Ｔに含まれる放送時間は、現在時刻から所定時間後（例えば、１日後）、あるいは、その日の所定時刻（例えば、２４：００）までに制限することが好ましい。また、このような電子番組表Ｔに含まれる放送時間の制限を、ユーザが設定できるようにすることが好ましい。
【００９０】
このように、ユーザは、電子番組表Ｔを回転操作によって表示させることができる。そして、その表示された電子番組表Ｔから表示対象とする番組のチャンネルを右回転操作を行うことによって選択することができ、表示対象とする番組の放送時間を左回転操作を行うことによって選択することができる。このような処理は、指示受付部１２及び指示実行部１３の制御によって実行される。すなわち、指示受付部１２は、回転操作を電子番組表Ｔをディスプレイ３に表示させる指示として受け付ける。これとともに、指示受付部１２は、右回転操作を表示対象とする番組のチャンネルを選択する指示としても受け付け、左回転操作を表示対象とする番組の放送時間を選択する指示としても受け付けることになる。そして、これらの指示は全て、指示実行部１３により実行される。これにより、ユーザは、回転操作以外の操作をすることなく、表示させる番組を変更できることになる。
【００９１】
図１２は、デジタル放送の映像の表示中において回転操作を行った場合における、表示システム１００の処理の流れを示す図である。
【００９２】
デジタル放送の映像の表示中においてメインコントローラ５０に回転操作がなされると、指示受付部１２は、この回転操作を電子番組表Ｔをディスプレイ３に表示させる指示として受け付ける。そして、指示実行部１３が、その指示を実行して電子番組表Ｔをディスプレイ３の画面全体に表示させる（ステップＳ３１）。このときカーソルＣは、電子番組表Ｔの表示前に表示していた番組の項目に表示される。
【００９３】
次に、この電子番組表Ｔの表示状態において回転操作があるか否かが判断される（ステップＳ３２）。回転操作がない状態が所定時間（例えば、２秒間）を超えて継続した場合は（ステップＳ３２にてＮｏ）、電子番組表Ｔの表示が解除されて処理が終了する（ステップＳ４１）。
【００９４】
一方、電子番組表Ｔの表示状態において回転操作があった場合は（ステップＳ３２にてＹｅｓ）、指示受付部１２は、右回転操作の場合は表示対象とする番組のチャンネルを選択する指示を受け付け、左回転操作の場合は表示対象とする番組の放送時間を選択する指示を受け付ける。そして、指示実行部１３が、その指示を実行することになる。
【００９５】
具体的には、まず、回転操作の回転方向が判断される（ステップＳ３３）。左回転操作の場合は、電子番組表ＴにおいてカーソルＣが下の項目に移動される（ステップＳ３４）。一方、右回転操作の場合は、電子番組表ＴにおいてカーソルＣが右の項目に移動される（ステップＳ３５）。カーソルＣが移動されると、そのカーソルＣがある項目が示す番組が表示対象として選択される。
【００９６】
また、さらに回転操作がなされた場合は（ステップＳ３６にてＹｅｓ）、処理はステップＳ３３に戻り、回転操作の回転方向に応じてカーソルＣが移動される。これにより、ユーザは所望の項目にカーソルＣを移動させ、表示対象とする番組として所望の番組を選択することができる。
【００９７】
そして、回転操作がない状態が所定時間（例えば、２秒間）を超えて継続した場合は（ステップＳ３６にてＮｏ）、電子番組表Ｔの表示が解除される（ステップＳ３７）。続いて、表示対象として選択された番組が現在時刻に放送中の番組か否かが判断される（ステップＳ３８）。選択された番組が現在時刻に放送中の番組であれば、当該番組の映像が第２領域Ａ２に表示される（ステップＳ３９）。一方、選択された番組が現在時刻に放送中でない番組であれば、当該番組を表示する予約がなされる（ステップＳ４０）。このようにして番組の予約がなされた場合は、予約直後は、電子番組表Ｔの表示前に表示していた番組の映像が第２領域Ａ２に表示される。そして、予約した番組の開始時間となったときにその予約した番組の映像が第２領域Ａ２に表示されることになる。
【００９８】
以上のように、表示システム１００においては、デジタル放送の映像の表示中になされた回転操作を、指示受付部１２が、電子番組表Ｔをディスプレイ３に表示させる指示として受け付ける。これとともに、指示受付部１２が、右回転操作を電子番組表Ｔのうちからディスプレイ３への表示対象とする番組のチャンネルを選択する指示として受け付け、左回転操作を電子番組表Ｔのうちからディスプレイ３への表示対象とする番組の放送時間を選択する指示として受け付ける。このため、ユーザは、回転操作を行うことだけで、電子番組表Ｔをディスプレイ３に表示させることができるとともに、その電子番組表Ｔから表示対象とする番組を選択することができる。その結果、複雑な操作が必要とならず、回転操作という簡便な操作で表示させる番組を変更することができる。
【００９９】
＜３．変形例＞
以上、本発明の実施の形態について説明してきたが、この発明は上記実施の形態に限定されるものではなく様々な変形が可能である。以下では、このような変形例について説明する。上記実施の形態で説明した形態及び以下で説明する形態を含む全ての形態は、適宜に組み合わせ可能である。
【０１００】
上記実施の形態では、記録メディアは、ＤＶＤ及びＢＤ（Blu-ray Disc）などのディスクメディアであるものとして説明を行ったが、フラッシュメモリ（半導体メモリ）やハードディスクなどを採用した記録メディアであってもよい。
【０１０１】
第１実施の形態においては、最初の回転操作をリストを表示させる指示として受け付け、次の回転操作をチャプターあるいはチャンネルを選択する指示として受け付けていた。これに対して、一つの回転操作を、リストを表示させる指示、及び、チャプターあるいはチャンネルを選択する指示の双方として受け付けてもよい。この場合、ユーザは、回転操作を１回行うのみで、リストを表示させつつ、チャプターあるいはチャンネルを変更することができる。また、第２の実施の形態においても、一つの右回転操作を電子番組表Ｔを表示させる指示及びチャンネルを選択する指示の双方として受け付け、一つの左回転操作を電子番組表Ｔを表示させる指示及び時間帯を選択する指示の双方として受け付けてもよい。
【０１０２】
また、第１実施の形態においては、デジタル放送の通常の映像の表示中において回転操作を行った場合に、チャンネルの番号を示すリストＭ６が表示されると説明した。これに対して、現在時刻において放送中の番組を示す電子番組表を表示するようにし、その電子番組表を見ながら表示対象とするチャンネルを選択できるようにしてもよい。
【０１０３】
また、上記実施の形態において説明した右回転操作に割り当てられた指示と左回転操作に割り当てられた指示とは、互いに逆であってもよい。
【０１０４】
また、上記実施の形態においては、自動車などの車両に搭載される表示システムを例に説明を行ったが、表示装置に映像を表示させる映像処理装置の機能を備えた表示システムであればどのようなものであっても、上記で説明した技術を好適に適用することができる。このような映像処理装置の機能を備えた表示システムは、代表的には、カーナビゲーション装置やカーオーディオ装置などの車載装置や、携帯電話機やポータブルゲーム機などの可搬性装置である。
【０１０５】
また、上記実施の形態では、プログラムに従ったＣＰＵの演算処理によってソフトウェア的に各種の機能が実現されると説明したが、これら機能のうちの一部は電気的なハードウェア回路により実現されてもよい。
【符号の説明】
【０１０６】
１    制御部
３    ディスプレイ
５    操作部
１１    表示制御部
１２    指示受付部
１３    指示実行部
５０    メインコントローラ
Ｃ    カーソル
Ｍ３    リスト
Ｍ６    リスト
Ｔ    電子番組表
１００    表示システム
【図１】
0005592216.tif 000002
【図２】
0005592216.tif 000003
【図３】
0005592216.tif 000004
【図４】
0005592216.tif 000005
【図５】
0005592216.tif 000006
【図６】
0005592216.tif 000007
【図７】
0005592216.tif 000008
【図８】
0005592216.tif 000009
【図９】
0005592216.tif 000010
【図１０】
0005592216.tif 000011
【図１１】
0005592216.tif 000012
【図１２】
0005592216.tif 000013